(57)【特許請求の範囲】
【請求項１】
宛先（２４）に供給されるべき第１の情報を定義する、対象物から発信された対象物コードを受信するための対象物コード受信機（４ａ）を備える、宛先（２４）に供給されるべき情報を選択するための装置（１）であって、対象物コードに応答して、宛先（２４）が第２の情報を受信することを認可されている場合は、宛先（２４）に供給されるべき個人化情報である第２の情報を選択し、そうでない場合は、宛先（２４）に供給されるべき非個人化情報である第１の情報を選択するためのセレクタ（９）をさらに備え、対象物コードに関連付けられたポリシに基づいて、宛先が第２の情報を受信することを認可されているかどうかが判定され、非個人化情報および個人化情報が互いに少なくとも部分的に異なることを特徴とする、装置（１）。
【請求項２】
ソース（２２）を定義するソースコードを備えかつ／または宛先（２４）を定義する宛先コードを備える別のコードをソース（２２）から受信するための別のコード受信機（４ｂ）をさらに備えることを特徴とする、請求項１に記載の装置（１）。
【請求項３】
パラメータに応じて非個人化情報または個人化情報の選択を行うためのセレクタ（９）を制御するためのコントローラ（８）をさらに備えることを特徴とする、請求項１または２に記載の装置（１）。
【請求項４】
非個人化情報を定義する第１の情報コードを備える第１の指令を、非個人化情報を格納するように構成された第１のストレージユニット（２５）に送信し、個人化情報を定義する第２の情報コードを備える第２の指令を、個人化情報を格納するように構成された第２のストレージユニット（２７）に送信するための指令送信機（７）をさらに備えることを特徴とする、請求項１、２または３に記載の装置（１）。
【請求項５】
請求項１、２、３または４に記載の装置（１）を備える装置（３０）であって、対象物コードを入力するための入力ユニット（３２）をさらに備え、さらに／あるいは非個人化情報または個人化情報を出力するための出力ユニット（３４）を備えることを特徴とする、装置（３０）。
【請求項６】
請求項１、２または３に記載の装置（１）を備えるシステム（４０）であって、個人化情報を格納するための第２のストレージユニット（２７）をさらに備え、かつ／または対象物コードを入力するための入力装置（４２）を備え、かつ／または非個人化情報または個人化情報を出力するための出力装置（４４）を備えることを特徴とする、システム（４０）。
【請求項７】
宛先（２４）に供給されるべき第１の情報を定義する、対象物から発信された対象物コードを受信するステップを備える、宛先（２４）に供給されるべき情報を選択するための、装置によって行われる方法であって、対象物コードに応答して、宛先（２４）が個人化情報である第２の情報を受信することを認可されている場合は、宛先（２４）に供給されるべき第２の情報を選択し、そうでない場合は、宛先（２４）に供給されるべき非個人化情報である第１の情報を選択するステップをさらに備え、対象物コードに関連付けられたポリシに基づいて、宛先が第２の情報を受信することを認可されているかどうかが判定され、非個人化情報および個人化情報が互いに少なくとも部分的に異なることを特徴とする、方法。
【請求項８】
ソース（２２）を定義するソースコードを備えかつ／または宛先（２４）を定義する宛先コードを備える別のコードをソース（２２）から受信するステップをさらに備え、さらに／あるいは、パラメータに応じて非個人化情報または個人化情報の選択を行うために選択することを制御するステップを備え、さらに／あるいは、非個人化情報を定義する第１の情報コードを備える第１の指令を、非個人化情報を格納するように構成された第１のストレージユニット（２５）に送信し、個人化情報を定義する第２の情報コードを備える第２の指令を、個人化情報を格納するように構成された第２のストレージユニット（２７）に送信するステップを備えることを特徴とする、請求項７に記載の方法。
【請求項９】
請求項７または８に記載の方法のステップを実行するためのコンピュータプログラム。
【請求項１０】
請求項９に記載のコンピュータプログラムを格納し備えるための媒体。
【発明の詳細な説明】
【技術分野】
【０００１】
本発明は、宛先に供給されるべき情報を選択するための装置であって、宛先に供給されるべき第１の情報を定義する、対象物から発信された対象物コードを受信するための対象物コード受信機を備える、装置に関する。
【０００２】
そのような対象物の例は、タグ付き小売商品であり、そのような第１の情報の例は、オーディオコマーシャルおよびビデオコマーシャルである。
【背景技術】
【０００３】
ＵＳ２００４／０２０４０６３は、一般に、拡張電気通信サービスを開示し、詳細にはそのパラグラフ００２８において、「ｐｒｏｖｉｓｉｏｎ  ｏｆ  ｄｉｇｉｔａｌ  ｐｒｏｄｕｃｔ  ｓａｍｐｌｅｓ  ａｃｃｏｒｄｉｎｇ  ｔｏ  ｓｕｂｓｃｒｉｂｅｒ  ｃｒｉｔｅｒｉａ  ａｎｄ  ｔｏ  ａ  ｗｉｒｅｌｅｓｓ  ｄｅｖｉｃｅ  ｕｐｏｎ  ｒｅａｄｉｎｇ  ｏｆ  ａ  ｐｒｏｄｕｃｔ  ｃｏｄｅ」を開示する。
【０００４】
通常、対象物コード受信機は、対象物から対象物コードを受信する。さらに、対象物は、例えば、対象物コードを備えるトランスポンダあるいはパッシブソースまたはアクティブソースを備える。この対象物コードは、例えば、装置をさらに備える装置の入力ユニットを介して、または装置をさらに備えるシステムの入力装置を介して装置に入力される。一方での入力ユニットまたは入力装置と他方での装置との間には、１つまたは複数のネットワークが存在してもよく、あるいは存在しなくてもよい。
【０００５】
対象物コードに応答して、装置は、ローカルストレージまたはリモートストレージから第１の情報を収集し、第１の情報を宛先に送信するか、それとも、装置は、ローカルストレージまたはリモートストレージに第１の情報を宛先に送信するよう指令する。宛先では、第１の情報は、例えば、装置をさらに備える装置の出力ユニットを介して、または装置をさらに備えるシステムの出力装置を介して出力される。一方での出力ユニットまたは出力装置と他方での装置との間には、１つまたは複数のネットワークが存在してもよく、あるいは存在しなくてもよい。
【先行技術文献】
【特許文献】
【０００６】
【特許文献１】米国特許出願公開第２００４／０２０４０６３号明細書
【発明の概要】
【発明が解決しようとする課題】
【０００７】
本発明の目的は、より多くの可能性をそのユーザに提供する、プリアンブルで定義されているような装置を提供することである。
【課題を解決するための手段】
【０００８】
本発明による装置は、装置が、対象物コードに応答して、宛先が個人化情報である第２の情報を受信することを認可されている場合は、宛先に供給されるべき第２の情報を選択し、そうでない場合は、宛先に供給されるべき非個人化情報である第１の情報を選択するためのセレクタをさらに備え、非個人化情報および個人化情報が互いに少なくとも部分的に異なることを特徴とする。
【０００９】
対象物コードに応答して、宛先が個人化情報を受信することを認可されている場合は、宛先に供給されるべき少なくとも個人化情報を選択し、そうでない場合は、宛先に供給されるべき非個人化情報だけを選択するためのセレクタを導入することにより、認可済み宛先は、場合によっては一部のまたはすべての非個人化情報と混合されていることもある個人化情報を受信し、この場合、非認可宛先は、非個人化情報を受信するだけである。
【００１０】
本発明による装置は、装置がユーザにとってより興味のある対象物コードに応答してこれらのユーザに情報を供給するプロセスを実行するという点で、さらに有利である。非個人化情報は、例えば、対象物の製造者または提供者によって提供される情報であり、個人化情報は、例えば、第１のユーザによって提供される情報である。（認可された、もしくは認可された入力ユニットまたは入力装置あるいは出力ユニットまたは出力装置を所有する）第２のユーザは、対象物を第１のユーザから取得することができ、対象物コードを装置に供給することができ、引き換えに、場合によっては一部のまたはすべての非個人化情報と混合されていることもある個人化情報を受信することができる。（認可されていない、もしくは認可されていない入力ユニットまたは入力装置あるいは出力ユニットまたは出力装置を所有する）第３のユーザは、対象物を取得することができ、対象物コードを装置に供給することができるが、引き換えに、非個人化情報だけを受信する。
【００１１】
本発明による装置の一実施形態は、装置が、ソースを定義するソースコードを備えかつ／または宛先を定義する宛先コードを備える別のコードをソースから受信するための別のコード受信機をさらに備えることを特徴とする。
【００１２】
対象物コード受信機および別のコード受信機は、例えば、対象物コードおよび別のコードを備える要求を受信するための要求受信機の一部分を形成することができる。ソースは、装置をさらに備える装置の入力ユニットでもよく、装置をさらに備えるシステムの入力装置でもよい。宛先は、装置をさらに備える装置の出力ユニットでもよく、装置をさらに備えるシステムの出力装置でもよい。ソースおよび宛先は、同じユニットまたは同じ装置の一部分を形成してもよく、この場合は、ソースコードおよび宛先コードは同一でもよく、あるいは、別々のユニットまたは別々の装置の一部分を形成してもよく、この場合は、ソースコードおよび宛先コードは同一でなくてもよい。
【００１３】
本発明による装置の一実施形態は、装置が、パラメータに基づいて非個人化情報または個人化情報の選択を行うためのセレクタを制御するためのコントローラをさらに備えることを特徴とする。
【００１４】
パラメータは、時間パラメータ、日付パラメータ、位置パラメータおよびコストパラメータでもよく、他のパラメータを除外しない。これらのパラメータを介して、個人化情報は、例えば、（対象物の、および／またはソースの、および／または宛先の）時間、日付、位置、ならびに（対象物の、および／またはソースに関する、および／または宛先に関する）コストに応じて利用可能にされることができる。
【００１５】
本発明による装置の一実施形態は、装置が、非個人化情報を定義する第１の情報コードを備える第１の指令を、非個人化情報を格納するように構成された第１のストレージユニットに送信し、個人化情報を定義する第２の情報コードを備える第２の指令を、個人化情報を格納するように構成された第２のストレージユニットに送信するための指令送信機をさらに備えることを特徴とする。
【００１６】
第１の情報コードは、対象物コードと同一でもよく、対象物コードと少なくとも部分的に異なっていてもよく、この場合は、装置は対象物コードを第１の情報コードに変換するためのコンバータを必要とすることがある。第２の情報コードは、対象物コードと同一でもよく、この場合は、第２のストレージユニットは対象物コードを個人化情報にリンクすることができる必要があることがある。代替として、第２の情報コードは、対象物コードと少なくとも部分的に異なっていてもよく、この場合は、装置は対象物コードを第２の情報コードに変換するためのコンバータを必要とすることがある。第２の情報コードは、ソースコードおよび／または宛先コードと同一でもよく、この場合は、装置はソースコードおよび／または宛先コードを個人化情報にリンクすることができる必要があることがある。代替として、第２の情報コードは、ソースコードおよび／または宛先コードと少なくとも部分的に異なっていてもよく、この場合は、装置はソースコードおよび／または宛先コードを第２の情報コードに変換するためのコンバータを必要とすることがある。
【００１７】
本発明はまた、上記で定義されているような装置を備える装置であって、対象物コードを入力するための入力ユニットをさらに備え、さらに／あるいは非個人化情報または個人化情報を出力するための出力ユニットを備えることを特徴とする装置に関する。
【００１８】
本発明はまた、上記で定義されているような装置を備えるシステムであって、個人化情報を格納するための第２のストレージユニットをさらに備え、かつ／または対象物コードを入力するための入力装置を備え、さらに／あるいは非個人化情報または個人化情報を出力するための出力装置を備えることを特徴とするシステムに関する。
【００１９】
本発明はまた、宛先に供給されるべき情報を選択するための方法であって、宛先に供給されるべき第１の情報を定義する、対象物から発信された対象物コードを受信するステップを備え、対象物コードに応答して、個人化情報である第２の情報を受信することを宛先が認可されている場合は、宛先に供給されるべき第２の情報を選択し、そうでない場合は、宛先に供給されるべき非個人化情報である第１の情報を選択するステップをさらに備え、非個人化情報および個人化情報が互いに少なくとも部分的に異なることを特徴する方法に関する。
【００２０】
本発明による方法の一実施形態は、本方法が、ソースを定義するソースコードを備えかつ／または宛先を定義する宛先コードを備える別のコードをソースから受信するステップをさらに備え、さらに／あるいはパラメータに応じて非個人化情報または個人化情報の選択を行うために選択することを制御するステップを備え、さらに／あるいは非個人化情報を定義する第１の情報コードを備える第１の指令を、非個人化情報を格納するように構成された第１のストレージユニットに送信し、個人化情報を定義する第２の情報コードを備える第２の指令を、個人化情報を格納するように構成された第２のストレージユニットに送信するステップを備えることを特徴とする。
【００２１】
本発明はまた、上記で定義されているような方法のステップを実行するためのコンピュータプログラムプロダクトに関する。
【００２２】
本発明はまた、上記で定義されているようなコンピュータプログラムプロダクトを格納し備えるための媒体に関する。
【００２３】
本発明は、個人化された装置がそのユーザにより多くの可能性を提供するという洞察に基づき、（非）個人化情報の認可依存選択が導入され、かつ／または使用されるべきであるという基本概念に基づく。
【００２４】
本発明は、より多くの可能性をそのユーザに提供する装置を提供するために問題を解決し、装置がユーザに、これらのユーザにとってより興味のある対象物コードに応答して、情報を供給するプロセスを実行するとういう点でさらに有利である。
【００２５】
本発明のこれらのおよび他の態様は、以下で説明される実施形態（１つまたは複数）を参照することから明らかになり、それらを参照しながら明らかにされる。
【図面の簡単な説明】
【００２６】
【図１】ソースに、および宛先に、および第１のストレージユニットに、および第２のストレージユニットに結合された、本発明による装置の概略図である。
【図２】本発明による装置ならびに入力ユニットおよび出力ユニットを備え、第１のストレージユニットおよび第２のストレージユニットに結合された、本発明による装置の概略図である。
【図３】本発明による装置、ならびに入力装置および出力装置を備える、本発明によるシステムの概略図である。
【発明を実施するための形態】
【００２７】
図１に示されている装置１は、第１のインターフェース３の出力に結合された入力を有し、スイッチ１２の第１の入力に結合された出力を有する要求受信機４を備える。要求受信機４は、例えば、対象物コード受信機４ａおよび別のコード受信機４ｂを備える。装置１は、スイッチ１２の第１の出力に結合された入力を有し、第２のインターフェース６の入力に結合された出力を有する指令送信機７をさらに備える。第２のインターフェース６の出力は、スイッチ１２の第２の入力に結合された出力を有する別の受信機５の入力に結合される。第１のインターフェース３の入力は、スイッチ１２の第２の出力に結合された入力を有する別の送信機２の出力に結合される。装置１は、スイッチ１２の第１の入／出力に結合された入／出力を有するセレクタ９、およびスイッチ１２の第２の入／出力に結合された入／出力を有するコントローラ８をさらに備える。メモリ１０の入／出力は、スイッチ１２の第３の入／出力に結合され、マンマシンインターフェース１１またはｍｍｉ１１の入／出力は、スイッチ１２の第４の入／出力に結合される。
【００２８】
第１のインターフェース３の入／出力は、場合によってはネットワーク２３を介して、ソース２２におよび宛先２４に結合され、第２のインターフェース６の入／出力は、場合によってはネットワーク２６を介して、第１のストレージユニット２５におよび第２のストレージユニット２７に結合される。ネットワーク２３および２６は、１つのネットワークの一部分を形成してもよく、あるいはリンク２１を介して相互に結合された別々のネットワークでもよい。ソース２２および宛先２４は、１つの物理エンティティの一部分を形成してもよく、あるいは１つの位置にあるまたは別々の位置にある別々の物理エンティティの一部分を形成してもよい。ストレージユニット２５および２７は、１つの物理エンティティの一部分を形成してもよく、あるいは１つの位置にあるまたは別々の位置にある別々の物理エンティティの一部分を形成してもよい。インターフェース３および６は、制御および／または通知のためにスイッチ１２にさらに結合される。スイッチ１２の代わりに、バスが使用されてもよい。スイッチおよび／またはバスの代わりに、セレクタ９が、追加のスイッチ機能および／またはバス機能の有無にかかわらずに中央の位置に配置されてもよく、あるいはコントローラ８が、追加のスイッチ機能および／またはバス機能の有無にかかわらずに中央の位置に配置されてもよい。
【００２９】
従来技術の状況では、例えばバーコード付きボトルなどの対象物を購入したユーザが、ボトルを、例えばバーコードリーダを有するセットトップボックスなどのソース２２の近くに置く。セットトップボックスは、バーコードを、装置１を介して第１のストレージユニット２５に送信し、それに応答して、第１のストレージユニット２５が、例えばオーディオコマーシャルまたはビデオコマーシャルなどの第１の情報を、例えばオーディオ受信機またはビデオ受信機などの宛先２４に装置１を介して（すなわち：別の受信機５および別の送信機２を介して）または介さずに、送信する。その結果として、ユーザはコマーシャルを聞くまたは見ることができる。したがって、宛先２４に供給されるべき第１のストレージユニット２５に格納された第１の情報を定義する、対象物から発信された対象物コードを受信するための対象物コード受信機４ａを備える装置１は、宛先２４に供給されるべき情報を選択する。
【００３０】
本発明によれば、装置１は、そのユーザにより多くの可能性を提供するために、対象物コードに応答して、宛先２４が第２の情報を受信することを認可されている場合は、宛先２４に供給されるべき第２のストレージユニット２７に格納されている第２の情報を選択するためのセレクタ９を備える。そうでない場合は、セレクタ９は、宛先２４に供給されるべき第１のストレージユニット２５に格納されている第１の情報を選択する。第１の情報は非個人化情報であり、第２の情報は個人化情報であり、非個人化情報および個人化情報は互いに少なくとも部分的に異なる。このようにして、認可済み宛先は、場合によっては一部のまたはすべての非個人化情報と混合されていることもある個人化情報を受信し、この場合、非認可宛先は、非個人化情報を受信するだけである。非個人化情報および／または個人化情報は、ストレージユニット２５および／または２７から宛先２４に、装置１を介して、またはリンク２１を介して、あるいは図示されていないやり方で、送信されることができる。
【００３１】
コマーシャルなどの非個人化情報は、例えば、対象物の製造者または提供者によって提供される情報であり、個人的な写真および／またはムービなどの個人化情報は、例えば、第１のユーザによって提供される情報である。（認可されている、あるいは認可されているソース２２または宛先２４を所有している）第２のユーザは、対象物を第１のユーザから取得することができ、対象物コードを装置１に供給することができ、引き換えに、場合によっては一部のまたはすべての非個人化情報と混合されている個人化情報を受信することができる。（認可されていない、あるいは認可されていないソース２２または宛先２４を所有している）第３のユーザは、対象物を取得することができ、対象物コードを装置１に供給することができるが、引き換えに、非個人化情報だけを受信する。
【００３２】
したがって、第１のユーザは、どの第２のユーザ、および／またはどの別のソース、および／またはどの別の宛先が、対象物コードに応答して個人化情報を受信することを認可されているか、およびこの個人化情報がどこにあるかを装置に通知することができる。この通知は、ソースおよび／または宛先から装置に電話、ファックス、電子メールによってまたはデータ通信を介して、あるいは、この個人化情報を格納しているストレージユニットから装置などにデータ通信を介して、行われることができる。第１のユーザは、第１のユーザのソースおよび／または宛先の近くに配置されてもよく、あるいは第１のユーザのソースおよび／または宛先の一部分を形成してもしなくてもよいこのストレージユニットを、直接制御することができる。後者の場合は、第１のユーザは、個人化情報をストレージ提供者などに供給することができる。代替として、装置は、すべての認可および位置情報をデータベースなどから取得することができる。
【００３３】
多くの可能な実現形態のうちの１つによれば、装置１は、ソース２２から、ソース２２を定義するソースコードを備えかつ／または宛先２４を定義する宛先コードを備える別のコードを受信するための別のコード受信機４ｂをさらに備える。対象物コード受信機４ａおよび別のコード受信機４ｂは、例えば、対象物コードおよび別のコードを備える要求を受信するための要求受信機４の一部分を形成してもよい。ソース２２は、図２に示されているような装置１をさらに備える装置の入力ユニットでもよく、図３に示されているような装置１をさらに備えるシステムの入力装置でもよい。宛先２４は、図２に示されているような装置１をさらに備える装置の出力ユニットでもよく、図３に示されているような装置１をさらに備えるシステムの出力装置でもよい。ソース２２および宛先２４は、同じユニットまたは同じ装置の一部分を形成してもよく、この場合は、ソースコードおよび宛先コードは同一でもよく、あるいは別々のユニットまたは別々の装置の一部分を形成してもよく、この場合は、ソースコードおよび宛先コードは同一でなくてもよい。
【００３４】
ソースコードは、装置１がソース２２の権限をチェックすることができるようにし、さらに／あるいは、例えばコンバータ（コントローラ８）またはテーブル（メモリ１０）を介してソースコードを宛先コードに変換することにより、装置１が宛先を見つけ出すことができるようにし、それによって、ソース２２の権限は、宛先２４の権限の表示であることができ、あるいは、それによって、宛先コードはそれ自体、宛先２４の権限の表示であることができる。宛先コードは、装置１が宛先２２の権限をチェックすることができるようにする。
【００３５】
多くの可能な実現形態のうちの１つによれば、装置１は、パラメータに応じて非個人化情報または個人化情報の選択を行うためのセレクタ９を制御するためのコントローラ８をさらに備える。パラメータは、時間パラメータ、日付パラメータ、位置パラメータ、およびコストパラメータでもよく、他のパラメータを除外しない。これらのパラメータを介して、個人化情報は、例えば、（対象物の、および／またはソース２２の、および／または宛先２４の）時間、日付、位置、および（対象物の、および／またはソース２２に関する、および／または宛先２４に関する）コストに応じて利用可能にされることができる。
【００３６】
多くの可能な実現形態のうちの１つによれば、装置１は、非個人化情報を格納する第１のストレージユニット２５に、非個人化情報を定義する第１の情報コードを備える第１の指令を送信し、個人化情報を格納する第２のストレージユニット２７に、個人化情報を定義する第２の情報コードを備える第２の指令を送信するための指令送信機７をさらに備える。第１の情報コードは、対象物コードと同一でもよく、あるいは対象物コードと少なくとも部分的に異なっていてもよく、この場合は、装置１は対象物コードを第１の情報コードに変換するためのコンバータ（コントローラ８）を必要とすることがある。第２の情報コードは対象物コードと同一でもよく、この場合は、第２のストレージユニット２７は対象物コードを個人化情報にリンクすることができる必要があることがある。代替として、第２の情報コードは対象物コードと少なくとも部分的に異なっていてもよく、この場合は、装置１は対象物コードを第２の情報コードに変換するためのコンバータ（コントローラ８）を必要とすることがある。第２の情報コードは、ソースコードおよび／または宛先コードと同一でもよく、この場合は、第２のストレージユニット２７はソースコードおよび／または宛先コードを個人化情報にリンクすることができる必要があることがある。代替として、第２の情報コードはソースコードおよび／または宛先コードと少なくとも部分的に異なっていてもよく、この場合は、装置１はソースコードおよび／または宛先コードを第２の情報コードに変換するためのコンバータ（コントローラ８）を必要とすることがある。
【００３７】
図２に示されている本発明による装置３０は、本発明による装置１、ならびに第３のインターフェース３３を介して第１のインターフェース３に両方とも結合された入力ユニット３２および出力ユニット３４を備える。装置３０は、第２のインターフェース６に結合され、場合によってはネットワーク２６を介して、ストレージユニット２５および２７に結合された第４のインターフェース３６をさらに備える。第３および第４のインターフェース３３および３６は、スイッチ１２にさらに結合されたプロセッサ３１を介して相互に結合される。入力ユニット３２は、図１のソース２２に取って代わり、出力ユニット３４は、図１の宛先２４に取って代わる。
【００３８】
図３に示されている本発明によるシステム４０は、本発明による装置１、ならびに、場合によってはネットワーク２３を介して、第１のインターフェース３に両方とも結合された入力装置４２および出力装置４４を備える。第２のインターフェース６は、場合によってはネットワーク２６を介して、ストレージユニット２５および２７に結合され、それによって、第２のストレージユニット２７はシステム４０の一部分を形成し、それによって、第１のストレージユニット２５はシステム４０の一部分を形成することができる、またはできない。入力装置４２は、図１のソース２２に取って代わり、出力装置４４は、図１の宛先２４に取って代わる。
【００３９】
ソース２２、入力ユニット３２（バーコードリーダ、トランシーバ、受信機、ＰＣなど）および入力装置４２（それぞれバーコードリーダ、トランシーバ、受信機などを有するセットトップボックス、オーディオ受信機、ビデオ受信機、モバイルフォン、ＰＣなど）は、有線でおよび／または無線で対象物コードを受信することができ、対象物コードを装置１に有線でおよび／または無線で供給することができるいかなる種類の有線機器および／または無線機器でもよい。商品は、対象物コードを搬送することができるいかなる種類の商品でもよい。対象物コードは、トランスポンダあるいはパッシブソースまたはアクティブソースを介して対象物内におよび／または対象物上に格納されることができる。バーコードの形で利用可能な対象物コードの場合は、ソース２２および入力装置４２はバーコードリーダを必要とすることがある。トランスポンダを介して利用可能な対象物コードの場合は、ソース２２および入力装置４２はトランシーバを必要とすることがある。電池または太陽電池によって給電される送信機を介して利用可能な対象物コードの場合は、ソース２２および入力装置４２は受信機などを必要とすることがある。対象物コードは、ユニフォームリソースロケータ、デジタルサウンドモジュール、識別子などの、光コードでも、音響コードでも、あるいはデータコードでもよい。
【００４０】
宛先２４、出力ユニット３２（ディスプレイ、ラウドスピーカ、ＰＣなど）、および出力装置４４（オーディオ受信機、ビデオ受信機、モバイルフォン、ＰＣなど）は、第１の情報および第２の情報を有線でおよび／または無線で受信することができ、第１の情報および第２の情報をレンダリングすることができるいかなる種類の有線機器および／または無線機器でもよい。非個人化情報は、コマーシャル、ニューズレター、背景情報など、いかなる種類のオーディオ情報および／またはビデオ情報でもよく、個人化情報は、個人的な歌、個人的な写真など、いかなる種類のオーディオ情報および／またはビデオ情報でもよい。装置１は、ハードウェアの様々な部片、ならびに／あるいはソフトウェアの様々な部片、ならびに／あるいは統合ハードウェアおよび／または統合ソフトウェアなどによって、多くの様々なやり方で実現されることができる。
【００４１】
言い換えれば、有形媒体の概念が、テレビ体験をよりフレキシブルにしたいというコンシューマの要望によって引き起こされる。有形媒体の概念は、対象物にマルチメディアを添付することによりこのフレキシビリティを提供し、それによって、エンドユーザが物理的世界とデジタル世界とのシームレスな接続を体験することができるようにする。より具体的には、人々は、対象物を自分のテレビの前に置くことによって即座にコンテンツにアクセスすることができる。ＲＦＩＤリーダがＩＰＴＶセットトップボックスに追加されたシステムが知られている。このリーダは、トークンの接近を検知する。あるトークンが検知されると、関連コンテンツが（ローカルレポジトリからか、それともネットワークから）ＳＴＢで開始される。トークンからＳＴＢにおよびマルチメディア配信プラットフォームに送信されるデジタル情報は、コンテンツに関するＩＤ、ＵＲＬまたはＤＲＭ証明書でもよい。ムービトレーラ、ムービおよび広告に関する例が知られている。
【００４２】
これらの知られているシステムは、以下の欠点を有する：対象物／トークンが、マルチメディアアイテムに固定的に関連付けられており、ユーザが制御することができない。関連マルチメディアアイテムが、ビジネスアクタ（コンテンツ所有者、広告代理店など）によって判定される。
【００４３】
基本概念は、第２の、他のコンテンツの、ある対象物に対応する固定トークンへの動的関連付けを可能にすることである。１セットのルールから成るポリシに基づいて、どのコンテンツがどこから誰によってアクセス可能かが判定される。このようにして、ユーザの個人的コンテンツをある対象物に追加的に結合することができるようにされ、その結果、対象物に対応するトークンの読み取り時に個人的コンテンツが取り出されることができる。本発明は以下のことによって上記の欠点を解決する：（ユーザによる、ビジネスアクタ（コンテンツ所有者、広告代理店など）による、ならびに／または、ポリシおよび課金機構によって制御された）トークンのコンテンツへの動的関連付けを導入すること、ユーザが自分自身の有形媒体コンテンツのためにコマーシャルの有形対象物を再目的化し（例えば、ウーゾのボトルは、今は、コマーシャルではなくＴＶでの休日のスライドショーの開始を生じさせる）、貴重なアイテム（記念品）を個人的コンテンツに関連付けることができるようにすること、およびオペレータが以下のことをすることができるようにすること：１つのアイテムがユーザに示されるごとにそのための代金をＢ２Ｂアクタ（コンテンツ所有者、広告代理店など）に請求すること、コマーシャルアイテム（ウーゾのボトル）を再目的化するための代金をユーザに請求すること、および上記のアクションにフレキシブルなポリシおよび課金方式を適用すること。
【００４４】
ユーザシナリオは以下のとおりでもよい。第１のユーザがギリシアで休日にウーゾのボトルを買った。家で、第１のユーザがボトルをＴＶセットの近くに置く。その結果として、このウーゾのブランドのためのコマーシャルがＴＶセットで開始される。次いで、第１のユーザが、すでに格納されているまたは格納されるべき休日の写真のスライドショーを選択する。その時点から、第１のユーザがこの一意のウーゾのボトルをＴＶセットの前に置くごとに、休日の写真が示される。その日あとで、第１のユーザがウーゾのボトルを第２のユーザに与える。第２のユーザがウーゾのボトルを第２のユーザのＴＶセットの前に置くと、第１のユーザのスライドショーが第２のユーザのＴＶセットで開始される。実際、第１のユーザは、すべての友人がこのボトルを介して第１のユーザの個人的コンテンツを見ることができるようにされるというポリシを作成した。誰か他の人がこのボトルで別のＴＶセットをタッチすると、元のウーゾのコマーシャルが示される。
【００４５】
したがって、本発明は、（ユーザによる、ビジネスアクタ（コンテンツ所有者、広告代理店など）による、ポリシおよび課金機構によって制御された）トークンのコンテンツへの動的関連付けを導入し、ユーザが自分自身の有形媒体コンテンツのためにコマーシャルの有形対象物を再目的化し（例えば、ウーゾのボトルは、今は、コマーシャルではなくＴＶでの休日のスライドショーの開始を生じさせる）、貴重なアイテム（記念品）を個人的コンテンツに関連付けることができるようにし、オペレータが、１つのアイテムがユーザに示されるごとにそのための代金をＢ２Ｂアクタ（コンテンツ所有者、広告代理店など）に請求し、コマーシャルアイテム（ウーゾのボトル）を再目的化するための代金をユーザに請求し（例えば、個人的コンテンツをウーゾのボトルに関連付けるための、すなわち「広告を示さないための」料金を請求し）、上記のアクションに対してフレキシブルなポリシおよび課金方式を適用し（コマーシャルを５回見た場合は、自分自身のコンテンツのためにアイテムを再目的化し、記念品を再目的化することができるが、それでもなおギリシア観光局によるインタラクティブな「支援」を受けることができる）、ユーザとＢ２Ｂアクタとの間のアクティブなブローカである（格付け方式および課金方式にリンクされたフレキシブルなポリシによって相容れない利害（ダイレクトマーケティング対個人的コンテンツ）をマネタイズする）ことができるようにする。
【００４６】
本発明は、例えば、ネットワークサーバ、データベースおよびＢ２Ｂインターフェースを備える。次いで、（「トークン−コンテンツコリレータ」またはＴＣＣと呼ばれる）ネットワークサーバが、マルチメディアイベントを開始するために有形媒体システムおよび（ＩＰＴＶ）マルチメディアコンテンツ配信システムとインタラクトする。使用されることができるいくつかの機能ブロックは以下のとおりである。
−  ＲＦＩＤリーダ、ＲＦＩＤトークンがリーダの近くに置かれている場合は、リーダがインターフェースを使用してこのイベントに関する情報を有形媒体システム（ＴＭＳ）に送信する。リーダは、家にある固定リーダ、モバイルフォン、任意のＩＰベースのリーダなどのいずれかでよい。
−  有形媒体システム（ＴＭＳ）が、どのトークンが（｛ｒｅａｄｅｒ＿ＩＤ，ｔｏｋｅｎ＿ｄａｔａ｝の形で）どのリーダの近くに置かれているかについての通知を受信する。ＴＭＳがＴＣＣを使用してｔｏｋｅｎ＿ｄａｔａをマルチメディアアイテムに変換する。ＴＭＳがＩＰＴＶマルチメディア配信プラットフォームを駆動させてコンテンツを適切なセットトップボックスで表示させる。
−  （ＩＰＴＶ）マルチメディア配信プラットフォーム：予めプロビジョニングされたマルチメディアコンテンツを格納し、指定されたセットトップボックスでこのコンテンツを開始することができる（ビデオオンデマンド参照）。
−  トークンコンテンツコリレータ（ＴＣＣ）が、ｔｏｋｅｎ＿ｄａｔａをマルチメディアアイテム（１つまたは複数）に相関させる。ＴＣＣがポリシに基づいて複数のメディアアイテムを一意のトークンに関連付けることができるようにする：誰が、いつ、どこでなど。ＴＣＣおよびＴＭＳがオペレータの格付けおよび請求インフラストラクチャへのリンクを有する。
【００４７】
より詳細なシナリオは以下のとおりでもよい。第１のユーザがギリシアで休日にウーゾのボトルを買った。ウーゾブランドは、その広告のためにすでに有形媒体を使用しており、ＩＰＴＶオペレータにプロビジョニングしてある。家で、第１のユーザが、（トークンに埋め込まれた）ボトルデータを有形媒体システム（ＴＭＳ）に送信するＴＶセットの近くにボトルを置く。ＴＭＳが、ｔｏｋｅｎ＿ｄａｔａをウーゾのコマーシャルにマッチさせるトークン−コンテンツコリレータ（ＴＣＣ）に問い合わせる。次いで、ＴＭＳが、その知識によって、ＩＰＴＶマルチメディア配信システムに第１のユーザのＳＴＢでウーゾのムービを開始するよう指令する。
【００４８】
次のステップで、ウーゾのボトルをまだＴＶセットのすぐそばに置いたまま、第１のユーザが、例えばリモートコントロールを使用して、休日の写真のスライドショーを選択し、ＯＫを押す。セットトップボックスが、スライドショーに関するリファレンスをウーゾのボトルのｔｏｋｅｎ＿ｄａｔａと一緒にＴＣＣに送信する。その結果、ＴＣＣのデータベースは、この一意のウーゾのボトルに関して２つのエントリ、すなわち１つはコマーシャルへのエントリ、１つは第１のユーザの個人的コンテンツへのエントリを有することになる。
【００４９】
その時点から、第１のユーザがこの一意のウーゾのボトルをＴＶセットの前に置くたびに、休日の写真が示される。実際、ＳＴＢは、ＴＣＣに問い合わせるＴＭＳにｔｏｋｅｎ＿ｄａｔａを送信する。ＴＣＣのデータベースは、このウーゾのボトルおよび第１のユーザのための専用エントリを含む。ＴＣＣが、第１のユーザの個人的コンテンツに関するリファレンスをＴＭＳに返す。ＴＭＳが、ＩＰＴＶマルチメディア配信プラットフォームに第１のユーザのＴＶでスライドショーを再生するよう指令する。
【００５０】
その日あとで、第１のユーザがウーゾのボトルを第２のユーザに与える。第２のユーザがウーゾのボトルを第２のユーザのＴＶセットの前に置くと、このＴＶセットで第１のユーザのスライドショーが開始される。実際、第１のユーザは、すべての友人がこのボトルを介してこの個人的コンテンツを見ることができるようにされるというポリシを作成した。誰か他の人がこのボトルで自分のＴＶセットをタッチすると、元のウーゾのコマーシャルが示される。ウーゾのボトルから（ＲＦＩＤ）リーダによって読み取られるデジタルデータは、一意のＩＤ、ＵＲＬ、証明書、ＤＲＭ権利などでもよい。これらのデータの特質（およびアプリケーションの特質）に応じて、ワークフローのどこかで、（ＩＰＴＶのような）典型的なマルチメディアコンテンツ配信プラットフォームの抽象化層への変換が行われる必要がある。本発明はまた、（ビジネスポテンシャルをよりいっそう高めて）Ｂ２Ｂアクタ（広告代理店など）がそのコンテンツ、およびＴＣＣデータベースに特定のルールおよびフィルタを追加することにより直接対象ユーザ（およびグループ）を最新のものにしておくことができるようにする（すなわち、古いコカコーラボトルが新しいコマーシャルを開始することができる）。
【００５１】
本解決策は以下のアプリケーション領域に適している：新しいコンテンツ配信機構（および、そこのオペレータの位置）、（有形）ダイレクトマーケティング＆広告、ならびにユーザセントリックなマルチメディアシェアリング。
【００５２】
図１〜図３では、各結合／接続は、有線結合／接続でも無線結合／接続でもよく、サブ結合／サブ接続および／または図示されていないユニットを備えてもよい。図示されているどのブロックも、サブブロックに分割されることができ、どの２つ以上のブロックも、新たなより大きなブロックに統合されることができる。図示されているどのブロックも、ハードウェアおよび／またはソフトウェアを備えることができる。本発明によるコンピュータプログラムプロダクトは、固定媒体または取り外し可能な媒体に格納されることができる。
【００５３】
例えば「選択するための（ｆｏｒ  ｓｅｌｅｃｔｉｎｇ）」などにおける表現「ための（ｆｏｒ）」は、他の機能もまた、同時に実行されるまたは実行されないことを除外しない。表現「Ｙに結合されたＸ」、および「ＸとＹとの間の結合」、および「ＸおよびＹを結合すること／結合する」などは、要素ＺがＸとＹとの間にあることを除外しない。表現「ＰがＱを備える」や「Ｑを備えるＰ」などは、要素Ｒも備えられる／含まれることを除外しない。用語「ａ」および「ａｎ」は、１つまたは複数のものの可能な存在を除外しない。
【００５４】
選択するなどのステップおよび／または機能は、例えば、とりわけ、図などに関して説明されたステップおよび／または機能のような別のステップおよび／または機能を除外しない。
【図１】
0005731118.tif 000002
【図２】
0005731118.tif 000003
【図３】
0005731118.tif 000004